(57)【要約】【課題】低コスト化や薄型化を実現しながら、同時に、高出力化を図ることができる簡易構造の磁歪スピーカを提供する。【解決手段】磁歪スピーカＳＰ１は、超磁歪部材を有してなり、且つ、一端が固定端とされた略棒状の超磁歪ロッド２４と、この超磁歪ロッド２４の外周を囲むように配設され、超磁歪ロッド２４の軸方向Ｌ１に磁界を印加するための駆動コイル２６と、超磁歪ロッド２４の軸方向Ｌ１に対して略平行に配設された振動板１１と、を有してなる。そして、振動板１１の振動面１１Ａに、超磁歪ロッド２４の軸方向Ｌ１と異なる方向Ｌ２に突出された突起部３８を設け、この突起部３８を介して超磁歪ロッド２４の軸方向Ｌ１の振動を振動板１１に伝達するようにした【選択図】図１
2005176055.tif 000002
【特許請求の範囲】
【請求項１】
磁歪部材を有してなり、且つ、一端が固定端とされた略棒状の磁歪ロッドと、該磁歪ロッドの外周を囲むように配設され、前記磁歪ロッドの軸方向に磁界を印加するための駆動コイルと、前記磁歪ロッドの軸方向に対して略平行に配設された振動板と、を有してなると共に、該振動板の振動面に、前記磁歪ロッドの軸方向と異なる方向に突出された突起部を設け、該突起部を介して前記磁歪ロッドの軸方向の振動を前記振動板に伝達するようにしたことを特徴とする磁歪スピーカ。
【請求項２】
請求項１において、
前記振動板における突起部は、前記磁歪ロッドの軸方向に対して略直交する方向に突出されていることを特徴とする磁歪スピーカ。
【請求項３】
請求項１又は２において、
前記振動板の振動面に前記突起部を複数設け、且つ、該複数の突起部に印加する振動を同期させるようにしたことを特徴とする磁歪スピーカ。
【請求項４】
磁歪部材を有してなり、且つ、一端が固定端とされた略棒状の磁歪ロッドと、該磁歪ロッドの外周を囲むように配設され、前記磁歪ロッドの軸方向に磁界を印加するための駆動コイルと、前記磁歪ロッドの軸方向に対して略平行に配設された振動板と、を有してなると共に、前記磁歪ロッドの自由端側に配設され、該磁歪ロッドの軸方向の振動を該軸方向と略直交する方向の振動に変換するための振動方向変換機構を設け、該振動方向変換機構を介して前記磁歪ロッドの軸方向の振動を前記振動板に伝達するようにしたことを特徴とする磁歪スピーカ。
【請求項５】
請求項４において、
前記振動方向変換機構は、折り曲げ自在な略筒状のチューブと、該チューブの内側空間内に摺動可能に配設された可動ワイヤと、を有してなると共に、該可動ワイヤの一端が前記振動板の振動面に固定されていることを特徴とする磁歪スピーカ。
【請求項６】
請求項４において、
前記振動方向変換機構は、軸方向端部に所定角度で傾斜するテーパ面が形成され、且つ、軸方向に移動自在とされた第１棒状部材と、軸方向端部に該第１棒状部材のテーパ面と係合可能なテーパ面が形成され、且つ、前記第１棒状部材の軸方向の移動に伴って該第１棒状部材の前記テーパ面に案内されつつ軸方向に駆動される第２棒状部材と、を有してなると共に、該第２棒状部材の一端が前記振動板の振動面に固定されていることを特徴とする磁歪スピーカ。
【請求項７】
請求項４において、
前記振動方向変換機構は、１つの支点において回動自在に支持され、且つ、力点の作用方向と作用点の作用方向が異なるように構成されたテコ部材を有してなると共に、該テコ部材が前記振動板によって支持されていることを特徴とする磁歪スピーカ。
【請求項８】
請求項４において、
前記振動方向変換機構は、折り曲げ加工された略筒状の剛性部材と、該剛性部材の軸方向両端に配設された一対の弾性部材と、前記剛性部材及び一対の弾性部材によって密閉された空間内に充填された流体と、を有してなると共に、前記一対の弾性部材の一方が前記振動板の振動面に固定されていることを特徴とする磁歪スピーカ。
【請求項９】
請求項１乃至８のいずれかにおいて、
前記磁歪部材は、超磁歪素子を材料とする超磁歪部材からなることを特徴とする磁歪スピーカ。
【発明の詳細な説明】
【技術分野】
【０００１】
本発明は、磁歪部材を用いた磁歪スピーカに関する。
【背景技術】
【０００２】
従来、図１０に示されるような磁歪部材を用いた磁歪スピーカが種々提案されている（例えば、特許文献１参照。）。
【０００３】
この従来公知の磁歪スピーカＳＰ０は、磁歪部材を用いた磁歪スピーカドライバ１と、この磁歪スピーカドライバ１によって駆動される矩形薄板形状の振動板２と、を備えている。
【０００４】
磁歪スピーカドライバ１は、両端部３Ａ、３Ｂを固定して中央部３Ｃを駆動点とした矩形薄板状の磁歪素子３と、駆動点を挟んで磁歪素子３の外周に巻回された一対の直巻コイル４Ａ、４Ｂからなる励磁コイル４と、を有している。なお、磁歪素子３は、磁界の印加方向と略直交する方向に伸縮する磁歪横効果を示す磁歪材料によって形成されている。
【０００５】
この磁歪スピーカＳＰ０では、励磁コイル４に信号に応じた駆動電流が供給されると、駆動電流によって励磁コイル４の発生する磁界が変化する。そして、この磁界の変化に伴って磁歪素子３が磁歪変形し、駆動点である中央部３Ｃが前後方向に変位する。その結果、この変位によって振動板２が前後方向に駆動され、振動板２から音声が出力されるようになっている。
【０００６】
【特許文献１】特開２０００−３４１７９１号公報
【発明の開示】
【発明が解決しようとする課題】
【０００７】
しかしながら、この従来公知の磁歪スピーカＳＰ０は、薄型化が図れる一方で、磁歪素子３を薄板状に成形する必要があるため、加工が困難で、コスト高となりやすい上に、磁歪スピーカドライバ１が大掛かりなものになってしまうといった問題点があった。
【０００８】
しかも、磁歪素子３が薄板状であるため、その変位量を増大させることが難しく、磁歪スピーカＳＰ０の出力を高めるには限界があった。
【０００９】
本発明は、このような問題点を解決するためになされたものであって、低コスト化や薄型化を実現しながら、同時に、高出力化を図ることができる簡易構造の磁歪スピーカを提供することを目的とする。
【課題を解決するための手段】
【００１０】
本発明の発明者は、研究の結果、低コスト化や薄型化を実現しながら、同時に、高出力化を図ることができる磁歪スピーカを見出した。
【００１１】
即ち、次のような本発明により、上記目的を達成することができる。
【００１２】
（１）磁歪部材を有してなり、且つ、一端が固定端とされた略棒状の磁歪ロッドと、該磁歪ロッドの外周を囲むように配設され、前記磁歪ロッドの軸方向に磁界を印加するための駆動コイルと、前記磁歪ロッドの軸方向に対して略平行に配設された振動板と、を有してなると共に、該振動板の振動面に、前記磁歪ロッドの軸方向と異なる方向に突出された突起部を設け、該突起部を介して前記磁歪ロッドの軸方向の振動を前記振動板に伝達するようにしたことを特徴とする磁歪スピーカ。
【００１３】
（２）前記振動板における突起部は、前記磁歪ロッドの軸方向に対して略直交する方向に突出されていることを特徴とする前記（１）に記載の磁歪スピーカ。
【００１４】
（３）前記振動板の振動面に前記突起部を複数設け、且つ、該複数の突起部に印加する振動を同期させるようにしたことを特徴とする前記（１）又は（２）に記載の磁歪スピーカ。
【００１５】
（４）磁歪部材を有してなり、且つ、一端が固定端とされた略棒状の磁歪ロッドと、該磁歪ロッドの外周を囲むように配設され、前記磁歪ロッドの軸方向に磁界を印加するための駆動コイルと、前記磁歪ロッドの軸方向に対して略平行に配設された振動板と、を有してなると共に、前記磁歪ロッドの自由端側に配設され、該磁歪ロッドの軸方向の振動を該軸方向と略直交する方向の振動に変換するための振動方向変換機構を設け、該振動方向変換機構を介して前記磁歪ロッドの軸方向の振動を前記振動板に伝達するようにしたことを特徴とする磁歪スピーカ。
【００１６】
（５）前記振動方向変換機構は、折り曲げ自在な略筒状のチューブと、該チューブの内側空間内に摺動可能に配設され、且つ、一端が前記磁歪ロッドの自由端側に固定された可動ワイヤと、を有してなると共に、該可動ワイヤの一端が前記振動板の振動面に固定されていることを特徴とする前記（４）に記載の磁歪スピーカ。
【００１７】
（６）前記振動方向変換機構は、軸方向端部に所定角度で傾斜するテーパ面が形成され、且つ、軸方向に移動自在とされた第１棒状部材と、軸方向端部に該第１棒状部材のテーパ面と係合可能なテーパ面が形成され、且つ、前記第１棒状部材の軸方向の移動に伴って該第１棒状部材の前記テーパ面に案内されつつ軸方向に駆動される第２棒状部材と、を有してなると共に、該第２棒状部材の一端が前記振動板の振動面に固定されていることを特徴とする前記（４）に記載の磁歪スピーカ。
【００１８】
（７）前記振動方向変換機構は、１つの支点において回動自在に支持され、且つ、力点の作用方向と作用点の作用方向が異なるように構成されたテコ部材を有してなると共に、該テコ部材が前記振動板によって支持されていることを特徴とする前記（４）に記載の磁歪スピーカ。
【００１９】
（８）前記振動方向変換機構は、折り曲げ加工された略筒状の剛性部材と、該剛性部材の軸方向両端に配設された一対の弾性部材と、前記剛性部材及び一対の弾性部材によって密閉された空間内に充填された流体と、を有してなると共に、前記一対の弾性部材の一方が前記振動板の振動面に固定されていることを特徴とする前記（４）に記載の磁歪スピーカ。
【００２０】
（９）前記磁歪部材は、超磁歪素子を材料とする超磁歪部材からなることを特徴とする前記（１）乃至（８）のいずれかに記載の磁歪スピーカ。
【発明の効果】
【００２１】
本発明に係る簡易構造の磁歪スピーカによれば、低コスト化や薄型化を実現しながら、同時に、高出力化を図ることができるという優れた効果を有する。
【発明を実施するための最良の形態】
【００２２】
本発明に係る磁歪スピーカは、磁歪部材を有してなり、且つ、一端が固定端とされた略棒状の磁歪ロッドと、該磁歪ロッドの外周を囲むように配設され、前記磁歪ロッドの軸方向に磁界を印加するための駆動コイルと、前記磁歪ロッドの軸方向に対して略平行に配設された振動板と、を有してなると共に、該振動板の振動面に、前記磁歪ロッドの軸方向と異なる方向に突出された突起部を設け、該突起部を介して前記磁歪ロッドの軸方向の振動を前記振動板に伝達することによって、上記課題を解決したものである。
【００２３】
又、本発明に係る磁歪スピーカは、磁歪部材を有してなり、且つ、一端が固定端とされた略棒状の磁歪ロッドと、該磁歪ロッドの外周を囲むように配設され、前記磁歪ロッドの軸方向に磁界を印加するための駆動コイルと、前記磁歪ロッドの軸方向に対して略平行に配設された振動板と、を有してなると共に、前記磁歪ロッドの自由端側に配設され、該磁歪ロッドの軸方向の振動を該軸方向と略直交する方向の振動に変換するための振動方向変換機構を設け、該振動方向変換機構を介して前記磁歪ロッドの軸方向の振動を前記振動板に伝達することによって、上記同様の課題を解決したものである。
【００２４】
以下、本発明の実施例１及び実施例２を図面に基づいて詳細に説明する。
【実施例１】
【００２５】
図１及び図２に示されるように、本発明の実施例１に係る磁歪スピーカＳＰ１は、磁歪振動装置１０と、この磁歪振動装置１０の軸方向Ｌ１に対して略平行に配設された振動板１１と、を有して構成されている。
【００２６】
磁歪振動装置１０は、略円筒形状のケーシング１２を備えており、このケーシング１２の内側空間内には、先端ガイド１３側から、駆動部１４と、この駆動部１４の駆動源である複数の乾電池１６と、ジャック１８を介して入力される音声信号等の信号を増幅し、駆動部１４に出力する増幅回路２０が、それぞれ円板形状の隔壁２２Ａ、２２Ｂによって仕切られ、収容されている。なお、駆動部１４と複数の乾電池１６との間に配置された隔壁２２Ａは、軟磁性部材によって成形されている。
【００２７】
駆動部１４は、図２に拡大して示されるように、一端２４Ａが隔壁２２Ａに固定された略棒状の超磁歪ロッド２４と、この超磁歪ロッド２４の外周を囲むように配設された駆動コイル２６と、超磁歪ロッド２４の自由端２４Ｂ側に配設された可動先端部２８と、を有して構成されている。
【００２８】
超磁歪ロッド２４は、この例では、３つの略円板形状のバイアス磁石３２Ａ〜３２Ｃと、これら３つのバイアス磁石３２Ａ〜３２Ｃに挟まれるように配設された２つの略円柱形状の超磁歪部材３４Ａ、３４Ｂによって構成されており、バイアス磁石３２Ａ〜３２Ｃ及び超磁歪部材３４Ａ、３４Ｂは軸方向Ｌ１で接着され、一体化されている。
【００２９】
超磁歪部材３４Ａ、３４Ｂは、超磁歪素子を材料として用いている。ここで、「超磁歪素子」とは、希土類元素および／または特定の遷移金属などを主成分（例えば、テルビウム、ジスプロシウム、鉄など）とする粉末焼結合金あるいは単結晶合金から作られた磁歪素子をいい、外部から磁界が印加されると大きな変位を生じる性質を有している。
【００３０】
駆動コイル２６は、この超磁歪部材３４Ａ、３４Ｂに軸方向Ｌ１の磁界を印加可能な構造となっている。又、この駆動コイル２６は増幅回路２０に接続されており、駆動コイル２６の磁界は、外部からジャック１８を介して入力される信号に基づいて変動するようになっている。
【００３１】
可動先端部２８は、超磁歪ロッド２４のバイアス磁石３２Ａに固着された略円板状のフランジ部２８Ａと、このフランジ部２８Ａから超磁歪ロッド２４の軸方向Ｌ１に沿って伸びるロッド部２８Ｂとから形成されている。又、可動先端部２８のフランジ部２８Ａと先端ガイド１３との間には、２つのばね３６Ａ、３６Ｂが縮設されており、可動先端部２８は、超磁歪ロッド２４側に付勢されている。更に、可動先端部２８のロッド部２８Ｂは先端ガイド１３から突出されており、超磁歪ロッド２４の軸方向の振動は可動先端部２８を介して外部に伝達可能な構造となっている。
【００３２】
振動板１１の振動面１１Ａには、超磁歪ロッド２４の軸方向Ｌ１と異なる方向Ｌ２に突出された突起部３８が設けられており、この突起部３８を介して超磁歪ロッド２４の軸方向Ｌ１の振動を振動板１１に伝達可能な構造となっている。なお、この例では、突起部３８は、振動板１１の振動面１１Ａに対して略垂直な方向、即ち、超磁歪ロッド２４の軸方向Ｌ１に対して略直交する方向に突出されている。
【００３３】
次に、磁歪スピーカＳＰ１の作用について説明する。
【００３４】
磁歪スピーカＳＰ１にジャック１８を介して信号が入力されると、信号は増幅回路２０によって増幅された後、駆動部１４の駆動コイル２６に入力される。そして、この増幅後の信号によって駆動コイル２６が駆動され、駆動コイル２６のコイル磁界が変化する。その結果、超磁歪ロッド２４が信号に応じて軸方向Ｌ１に振動する。この軸方向Ｌ１の振動は可動先端部２８及び突起部３８を介して振動板１１に伝達されるようになっている。なお、この例では、突起部３８によって、超磁歪ロッド２４の軸方向Ｌ１の振動は、この軸方向Ｌ１と略直交する方向Ｌ２の振動に変換される。
【００３５】
本発明の実施例１に係る磁歪スピーカＳＰ１によれば、超磁歪部材３４Ａ、３４Ｂを有してなり、且つ、一端２４Ａが固定端とされた略棒状の超磁歪ロッド２４と、この超磁歪ロッド２４の外周を囲むように配設され、超磁歪ロッド２４の軸方向Ｌ１に磁界を印加するための駆動コイル２６と、超磁歪ロッド２４の軸方向Ｌ１に対して略平行に配設された振動板１１と、を有してなると共に、この振動板１１の振動面１１Ａに、超磁歪ロッド２４の軸方向Ｌ１と異なる方向Ｌ２に突出された突起部３８を設け、この突起部３８を介して超磁歪ロッド２４の軸方向Ｌ１の振動を振動板１１に伝達するようにしたため、磁歪スピーカＳＰ１の薄型化が実現可能である上に、構造が簡易で、低コスト化が容易である。又、このような薄型化や低コストを実現しながら、同時に、超磁歪部材３４Ａ、３４Ｂの軸長を長くすることによって磁歪スピーカＳＰ１の高出力化を容易に図ることができる。
【００３６】
特に、振動板１１における突起部３８は、超磁歪ロッド２４の軸方向Ｌ１に対して略直交する方向Ｌ２に突出されているため、より一層の薄型化が可能である。
【００３７】
なお、本発明に係る磁歪スピーカは、上記実施例１に係る磁歪スピーカＳＰ１の構造や形状等に限定されるものではなく、例えば、図３に示される磁歪スピーカＳＰ３のように、振動板１１の振動面１１Ａに突起部３８を複数設け、且つ、この複数の突起部３８に印加する振動を同期させるようにすれば、磁歪スピーカＳＰ３の更なる高出力化を図ることができる。
【００３８】
又、本発明に係る磁歪スピーカに設ける突起部の形状は、図中で示された形状に限定されるものではなく、磁歪ロッドの軸方向の振動が伝達可能な形状であればよい。従って、例えば、突起部を板状体、棒状体等に成形してもよく、更には、図４に示されるように、振動板１１の一部（周縁部）を折り曲げて突起部３９を構成してもよい。
【００３９】
即ち、本発明に係る磁歪スピーカは、磁歪部材を有してなり、且つ、一端が固定端とされた略棒状の磁歪ロッドと、該磁歪ロッドの外周を囲むように配設され、前記磁歪ロッドの軸方向に磁界を印加するための駆動コイルと、前記磁歪ロッドに軸方向に対して略平行に配設された振動板と、を有してなると共に、該振動板の振動面に、前記磁歪ロッドの軸方向と異なる方向に突出された突起部を設け、該突起部を介して前記磁歪ロッドの軸方向の振動を前記振動板に伝達するようにしたものであればよい。
【実施例２】
【００４０】
次に、本発明の実施例２に係る磁歪スピーカＳＰ２について説明する。
【００４１】
図５及び図６に示されるように、磁歪スピーカＳＰ２は、磁歪振動装置５０と、この磁歪振動装置５０の軸方向Ｌ３に対して略平行に配設された振動板１１と、を有して構成されている。この磁歪スピーカＳＰ２は、上述の磁歪スピーカＳＰ１における振動板１１の突起部３８に代えて、超磁歪ロッド２４の軸方向Ｌ３の振動をこの軸方向Ｌ３と略直交する方向Ｌ４の振動に変換するための振動方向変換機構５２を設けたものである。なお、その他の構造については磁歪スピーカＳＰ１と略同様であるため、その説明は省略する。
【００４２】
振動伝達機構５２は、図６に拡大して示されるように、折り曲げ自在な略筒状のチューブ５４と、このチューブ５４の内側空間内に摺動可能に配設された可動ワイヤ５６によって構成されている。又、この可動ワイヤ５６の一端５６Ｂは、振動板１１の振動面１１Ａに固定されていると共に、他端５６Ａは、可動先端部５８のロッド部５８Ｂに接触・離間可能に配置されている。なお、チューブ５４は、略９０度の角度に折り曲げられた状態で先端ガイド１３内に固定されており、可動ワイヤ５６は、チューブ５４によって超磁歪ロッド２４の軸方向Ｌ３と略直交する方向Ｌ４に案内されている。
【００４３】
次に、磁歪スピーカＳＰ２の作用について説明する。
【００４４】
磁歪スピーカＳＰ２にジャック１８を介して信号が入力されると、信号は増幅回路２０によって増幅された後、駆動部１４の駆動コイル２６に入力される。そして、この増幅後の信号によって駆動コイル２６が駆動され、駆動コイル２６のコイル磁界が変化する。その結果、超磁歪ロッド２４が信号に応じて軸方向Ｌ１に振動する。この軸方向の振動は可動先端部５８を介して振動伝達装置５２の可動ワイヤ５６に伝達されると共に、この可動ワイヤ５６によってその振動方向が変換され、振動板１１に伝達されるようになっている。なお、超磁歪ロッド２４の軸方向Ｌ３の振動は、振動伝達装置５２によって軸方向Ｌ３と略直交する方向Ｌ４の振動に変換される。
【００４５】
本発明の実施例２に係る磁歪スピーカＳＰ２によれば、上記磁歪スピーカＳＰ１と同様に、磁歪スピーカＳＰ２の薄型化が実現可能である上に、構造が簡易で、低コスト化が容易である。又、このような薄型化や低コストを実現しながら、同時に、超磁歪部材３４Ａ、３４Ｂの軸長を長くすることによって磁歪スピーカＳＰ２の高出力化を容易に図ることができる。
【００４６】
なお、本発明に係る磁歪スピーカは、上記実施例２に係る磁歪スピーカＳＰ２の構造や形状等に限定されるものではない。
【００４７】
従って、例えば、振動方向変換機構５２は、図７に示される振動方向変換機構６０のように、軸方向Ｌ５端部に所定角度で傾斜するテーパ面６２Ａが形成され、且つ、軸方向Ｌ５に移動自在とされた第１棒状部材６２と、軸方向Ｌ６端部に第１棒状部材６２のテーパ面６２Ａと係合可能なテーパ面６４Ａが形成され、且つ、第１棒状部材６２の軸方向Ｌ５の移動に伴って第１棒状部材６２のテーパ面６２Ａに案内されつつ軸方向Ｌ６に駆動される第２棒状部材６４と、を有して構成されると共に、この第２棒状部材６４の一端６４Ｂが振動板１１の振動面１１Ａに固定されていてもよい。
【００４８】
又、図８に示される振動方向変換機構７０のように、１つの支点Ｏ１において回動自在に支持され、且つ、力点の作用方向Ｌ７と作用点の作用方向Ｌ８が異なるように構成されたテコ部材７２を有して構成されると共に、このテコ部材７２が振動板１１によって支持されていてもよい。
【００４９】
更に、図９に示される振動方向変換機構８０のように、折り曲げ加工された略筒状の剛性部材８２と、この剛性部材８２の軸方向両端に配設された一対の弾性部材８４、８６と、剛性部材８２及び一対の弾性部材８４、８６によって密閉された空間内に充填された流体８８と、を有して構成されると共に、一方の弾性部材８４が振動板１１の振動面１１Ａに固定されていてもよい。なお、剛性部材８２には、金属やプラスチック等の剛体を適用することができ、又、弾性部材８４（８６）には、ゴム等の弾性体を適用することができる。
【００５０】
即ち、本発明に係る磁歪スピーカは、磁歪部材を有してなり、且つ、一端が固定端とされた略棒状の磁歪ロッドと、該磁歪ロッドの外周を囲むように配設され、前記磁歪ロッドの軸方向に磁界を印加するための駆動コイルと、前記磁歪ロッドの軸方向に対して略平行に配設された振動板と、を有してなると共に、前記磁歪ロッドの自由端側に配設され、該磁歪ロッドの軸方向の振動を該軸方向と略直交する方向の振動に変換するための振動方向変換機構を設け、該振動方向変換機構を介して前記磁歪ロッドの軸方向の振動を前記振動板に伝達するようにしたものであればよい。
【００５１】
なお、上記実施例１及び実施例２に係る磁歪スピーカＳＰ１、ＳＰ２、ＳＰ３の振動量をそれ程高める必要が無い場合には、超磁歪部材の代わりに、磁歪素子からなる磁歪部材を適用してもよい。
【図面の簡単な説明】
【００５２】
【図１】本発明の実施例１に係る磁歪スピーカを示す概略側断面図
【図２】図１における磁歪スピーカの駆動部周辺を拡大して示す概略部分拡大図
【図３】図１における振動板に突起部を複数設けた例を示す概略側面図
【図４】図１における突起部の他の例を示す概略側面図
【図５】本発明の実施例２に係る磁歪スピーカを示す概略側断面図
【図６】図４における磁歪スピーカの駆動部周辺を拡大して示す概略部分拡大図
【図７】図４における磁歪スピーカに第１、第２棒状部材を有してなる振動方向変換装置を適用した例を示す概略部分拡大図
【図８】図４における磁歪スピーカにテコ部材を有してなる振動方向変換装置を適用した例を示す概略部分拡大図
【図９】図４における磁歪振動装置に剛性部材、弾性部材及び流体を有してなる振動方向変換装置を適用した例を示す概略部分拡大図
【図１０】従来の磁歪スピーカを示す概略側断面図
【符号の説明】
【００５３】
ＳＰ０〜ＳＰ３…磁歪スピーカ
Ｌ１〜Ｌ８…軸方向
１…磁歪スピーカドライバ
２…振動板
３…磁歪素子
４Ａ、４Ｂ…直巻コイル
４…励磁コイル
１０…磁歪振動装置
１２…ケーシング
１３…先端ガイド
１４…駆動部
１６…乾電池
１８…ジャック
２０…増幅回路
２２Ａ、２２Ｂ…隔壁
２４…超磁歪ロッド
２６…駆動コイル
２８、５８…可動先端部
２８Ａ、５８Ａ…フランジ部
２８Ｂ、５８Ｂ…ロッド部
３２Ａ、３２Ｂ、３２Ｃ…バイアス磁石
３４Ａ、３４Ｂ…超磁歪部材
３６Ａ、３６Ｂ…ばね
３８、３９…突起部
５２、６０、７０、８０、９０…振動方向変換装置
５４…チューブ
５６…可動ワイヤ
６２…第１棒状部材
６４…第２棒状部材
６２Ａ、６４Ａ…テーパ面
６４…棒状部材
７２…テコ部材
８２…剛性部材
８４、８６…弾性部材
８８…流体
【図１】
2005176055.tif 000003
【図２】
2005176055.tif 000004
【図３】
2005176055.tif 000005
【図４】
2005176055.tif 000006
【図５】
2005176055.tif 000007
【図６】
2005176055.tif 000008
【図７】
2005176055.tif 000009
【図８】
2005176055.tif 000010
【図９】
2005176055.tif 000011
【図１０】
2005176055.tif 000012